(57)【要約】【課題】温度上昇に対する保護処理を行う場合であっても、ユーザに聴感上の違和感を与えることなくオーディオ信号を聴取可能にした「オーディオ装置」を提供する。【解決手段】オーディオ装置は、入力されたオーディオ信号に対し、所定の周波数の信号レベルを調整して出力するオーディオ出力処理部１４と、レベル調整されたオーディオ信号を増幅してスピーカー１１に出力するオーディオ出力増幅部１２と、該オーディオ出力増幅部１２の近傍の温度を検出する温度検出部１３と、前記オーディオ出力処理部１４に対し、前記温度検出部１３により検出される温度が所定の温度を超えたときに前記オーディオ信号のうち該所定の温度に応じた低域周波数の信号レベルを調整させる制御部１５とを備える。制御部１５は、オーディオ出力処理部１４に対し、所定の温度に応じた低域カットオフ周波数以下の信号を除去させても良いし、該信号のレベルを低減させても良い。【選択図】図２
2007027821.tif 000002
【特許請求の範囲】
【請求項１】
入力されたオーディオ信号に対し、所定の周波数の信号レベルを調整して出力するオーディオ出力処理部と、
レベル調整されたオーディオ信号を増幅してスピーカーに出力するオーディオ出力増幅部と、
該オーディオ出力増幅部の近傍の温度を検出する温度検出部と、
前記オーディオ出力処理部に対し、前記温度検出部により検出される温度が所定の温度を超えたときに前記オーディオ信号のうち該所定の温度に応じた低域周波数の信号レベルを調整させる制御部と
を備えたことを特徴とするオーディオ装置。
【請求項２】
前記制御部は、前記オーディオ出力処理部に対し、前記所定の温度に応じた低域カットオフ周波数以下の信号レベルを低減させることを特徴とする請求項１に記載のオーディオ装置。
【請求項３】
前記制御部は、前記オーディオ出力処理部に対し、前記所定の温度に応じた低域カットオフ周波数以下の信号を除去させることを特徴とする請求項１に記載のオーディオ装置。
【請求項４】
前記オーディオ出力処理部はハイパスフィルタを有し、
前記制御部は、前記信号レベルの低減又は信号の除去に応じて該ハイパスフィルタを構成する素子の値を調整させることを特徴とする請求項２又は３に記載のオーディオ装置。
【請求項５】
前記低域カットオフ周波数は、前記スピーカーの口径に応じて決定されることを特徴とする請求項４に記載のオーディオ装置。
【請求項６】
前記制御部は、前記オーディオ出力処理部に対し、更に予め測定された可聴範囲外の周波数の信号を調整するフィルタを構成するよう制御することを特徴とする請求項１に記載のオーディオ装置。
【請求項７】
前記フィルタは、少なくともハイパスフィルタ、ローパスフィルタ、バンドパスフィルタ又はバンドエリミネーションフィルタのいずれかであることを特徴とする請求項６に記載のオーディオ装置。
【発明の詳細な説明】
【技術分野】
【０００１】
本発明は、デバイスの温度上昇に対する保護動作に起因して生じる不都合を解消するよう適応されたオーディオ装置に関する。
【背景技術】
【０００２】
オーディオ装置は、基本的に、ＣＤ，ＭＤ等のプレーヤーと、プレーヤーから出力される信号を増幅するパワーアンプと、パワーアンプから出力される電気信号を音に変換して音声出力するスピーカーとを有している。このようなオーディオ装置において、高忠実度再生を実現するために、パワーアンプの周波数特性を可聴周波数帯域（概ね２０Ｈｚ〜２０ｋＨｚの帯域）ではフラットにすることが多い。しかし、実際の音楽信号をメディアに記録する際には、各周波数の信号成分のうち、高音成分の振幅レベルを低くして低音成分の振幅レベルを高くしている。
【０００３】
これは、図１の等感曲線（ロビンソン−ダッドソン曲線）に示すように、人間の耳は低音については感度が低く、高音と同じ音量であると認識させるためには低音の音量を相対的に大きくする必要があるからである。なお、等感曲線は、周波数の異なる純音が同じ大きさに聞こえるときの音圧レベルを結んだ曲線である。
【０００４】
また、イコライザを使用して可聴周波数帯域全体として所定の空間内（例えば、車室内）の音響特性を補正して、ユーザの好みに応じた音響特性にすることも行われている。例えば、低域を強調するために低域の音量（振幅）のみを高くするように、各周波数帯域毎に音量を調整することもある。
【０００５】
一方、上記のパワーアンプを大出力で動作させ続けるとパワーアンプを構成している回路素子、例えばＦＥＴやキャパシタ等における電力損失が大きくなり熱が発生することがある。この熱がオーディオ装置内部のデバイス、例えば信号処理用のＩＣに悪影響を与え、装置の動作が不安定になったり、場合によってはデバイスが発火・発煙を伴って破壊してしまうこともある。
【０００６】
このような熱に起因する装置の不安定さや、デバイスの破壊を防止する方法として、オーディオ装置の当該デバイス等の近傍に温度上昇を検出する素子を設け、所定の温度を超えないように温度を制御する温度保護処理が行われている。例えば、検出温度に応じて装置の電源をシャットダウンしたり、音声信号の出力レベルを下げるようにしている。このように電力消費を発生させないようにしたり、消費電力を低減させることにより、熱の発生を抑制している。また、出力信号の電圧又は電流をリミッタ回路により制限する方法もある。この場合も、電圧値又は電流値が下がるため、消費電力が低減されて熱の発生を抑制することができる。このような保護動作を単独で又は組み合わせて行わせることにより、装置の温度上昇を抑え、デバイスの破壊等を防止している。
【０００７】
また、上記の温度保護に関する技術としては、例えば特許文献１に記載されるように、増幅器の温度上昇を検出しオーディオ入力信号を減衰すると共に減衰量を周期的に変えて音声が途切れることのないようにしたものもある。
【特許文献１】特開平１１−３５５０５９号公報
【発明の開示】
【発明が解決しようとする課題】
【０００８】
上述したように、従来の温度保護処理では、検出温度によって、装置の電源のシャットダウン等を行っているので、温度上昇が抑えられ、デバイスの破壊等が防止され得る。
【０００９】
しかし、オーディオ音を聴取しているユーザに対しては、以下に記述するように聴感上の違和感を与えかねないという課題があった。
【００１０】
すなわち、上述した保護動作のうち、電源をシャットダウンする方法は、設定温度によって出力が突然ストップしたり、突然動作したりすることになり、設定温度の近傍では装置の動作が不安定になり、聴取しているユーザに対して不快感を与える可能性がある。また、出力レベルを下げる方法では、発生する電力を低減することができるものの、可聴周波数帯全域の音量レベルが低減されるので、音量が小さくなったことが分かり、ユーザに温度保護動作に入っていることを認識させてしまう。その結果、聴感上の違和感を与える可能性がある。また、出力信号の電圧又は電流にリミッタをかける方法でも、発生する電力を低く抑えることができるものの、この方法は出力信号波形を歪ませるため、オーディオ信号を忠実に再生することができずユーザに違和感を与えかねない。
【００１１】
なお、特許文献１では、温度保護回路において音声信号を完全に遮断しないようにする方法が開示されているが、可聴周波数帯全域の音量レベルを低減させたり、短時間の遮断を繰り返して音声を出力しているため、上記の方法と同様にユーザに温度保護動作に入っていることを認識させてしまい、聴感上違和感を与える可能性がある。
【００１２】
また、上述したようにオーディオ装置では低域部分の音圧レベル（振幅）を高域部分と比べて相対的に高くしている。従って、パワーアンプにおいて消費される電力は高音成分に比べて低音成分の方が相対的に大きくなる。そのため、可聴周波数帯全域の音量（振幅）を一律に下げたとしても、相対的に低音部分の電力のほうが高音部分の電力よりも大きいことには変わりがない。さらに、低音部分についてはスピーカーの口径によっては音量を上げてもほとんど人間には感知されない場合があり、このような低音部分を出力することは電力を必要以上に消費するだけであった。
【００１３】
本発明は、かかる従来技術の課題に鑑みなされたものであり、温度上昇に対する保護処理を行う場合であっても、ユーザに聴感上の違和感を与えることなくオーディオ信号を聴取可能にしたオーディオ装置を提供することを目的とする。
【課題を解決するための手段】
【００１４】
上述した従来技術の課題を解決するため、本発明の一形態によれば、入力されたオーディオ信号に対し、所定の周波数の信号レベルを調整して出力するオーディオ出力処理部と、レベル調整されたオーディオ信号を増幅してスピーカーに出力するオーディオ出力増幅部と、該オーディオ出力増幅部の近傍の温度を検出する温度検出部と、前記オーディオ出力処理部に対し、前記温度検出部により検出される温度が所定の温度を超えたときに前記オーディオ信号のうち該所定の温度に応じた低域周波数の信号レベルを調整させる制御部とを備えたことを特徴とするオーディオ装置が提供される。
【００１５】
上記形態に係るオーディオ装置において、前記制御部は、前記オーディオ出力処理部に対し、前記所定の温度に応じた低域周波数以下の信号レベルを低減させるよう制御しても良いし、前記所定の温度に応じた低域周波数以下の信号を除去させるよう制御しても良い。
【００１６】
この形態に係るオーディオ装置においては、オーディオ出力増幅部の近傍の温度を検出し、その検出温度に応じて出力信号の所定の周波数以下の信号を除去したり、信号レベルを低減させたりしている。これにより、出力信号の低音成分を除去したり、低音の音量を低減させているので、オーディオ出力増幅部で消費される電力を低減させて温度上昇を防止できる。しかも、他の周波数の信号を調整する場合に比べて聴感上の影響が少ない低音の音量だけを低減させているので、ユーザに温度保護動作中であることを意識させないようにすることができる。なお、所定の周波数は音声信号が出力されるスピーカーの口径に依存するが、例えば、スピーカーの口径が１０ｃｍのとき、カットオフ周波数は１８０Ｈｚである。
【発明を実施するための最良の形態】
【００１７】
以下、本発明の実施形態について、添付の図面を参照して説明する。
【００１８】
（第１の実施形態）
（オーディオ装置の構成）
図１は本発明の第１の実施形態に係るオーディオ装置の概略構成をブロック図の形態で示したものである。
【００１９】
本実施形態に係るオーディオ装置１０は、基本構成として、スピーカー１１と、オーディオ出力増幅部１２と、温度検出部１３と、低域調整部（オーディオ出力処理部）１４と、制御部１５と、記憶部１６とを備えている。説明の簡単化のため特に図示はしていないが、スピーカー１１は実際には複数個設けられている。
【００２０】
オーディオ出力増幅部１２は、基本的には低域調整部１４を介して入力されたオーディオソース１７の信号を増幅してスピーカー１１に供給する機能を有している。
【００２１】
温度検出部１３は、サーミスタ等の温度センサで構成される。温度検出部１３は、オーディオ出力増幅部１２を構成する各部品のうち、熱の発生量が多い部品（例えば、ＦＥＴ）の近傍に配設される。例えば、ＦＥＴがパッケージの形態でモールディングされ、ヒートシンク上に配設されている場合に、ヒートシンク上でＦＥＴの近傍に温度センサを金属製のブラケットで固定することにより、温度センサとＦＥＴとは互いに熱結合される。なお、温度を検出する装置としては、上記のサーミスタの他に、温度検出ＩＣや、トランジスタのベース・エミッタ間電圧の温度依存性を利用した温度検出回路を使用しても良い。
【００２２】
温度検出部１３で検出された信号は、アンプ２０を通して、制御部１５が所定の処理を行える程度にまで増幅された後、インタフェース２１を介して制御部１５に供給される。なお、温度検出部１３で検出された信号が制御部１５にとって十分なレベルである場合には、アンプ２０を設ける必要はない。
【００２３】
低域調整部１４は、例えばハイパスフィルタ（ＨＰＦ）で構成され、基本的に所定の周波数以下の信号を除去する。低域調整部１４は、例えばＤＳＰ(Digital Signal Processor)によって構成され、制御部１５から低域カットオフ周波数等を示す信号を受信して適切なハイパスフィルタを構成する。
【００２４】
なお、この低域調整部１４は、幾つかのフィルタを切り替えるようにして複数の周波数に対応するようにしてもよい。
【００２５】
また、本実施形態では低域調整部１４として低域周波数の調整を対象としているが、後段のオーディオ出力増幅部１２に供給されるべきオーディオ信号に対し、ユーザが各種の調整（周波数帯毎のレベル調整、特定周波数帯域の除去など）を行えるようにしてもよい。
【００２６】
制御部１５は、例えばマイクロコンピュータで構成され、温度検出部１３で検出された信号を読み取り、温度を算出し、その温度に応じて低域調整部１４のハイパスフィルタのカットオフ周波数を決定したり、カットオフ周波数以下の信号のスロープの調整等の制御を行う。
【００２７】
記憶部１６は、例えばフラッシュメモリ等の半導体メモリで構成され、スピーカー１１の口径と低域カットオフ周波数との対応テーブルを保存する。なお、半導体メモリの代わりに、ハードディスク（ＨＤＤ）を使用しても良い。
【００２８】
このように構成されたオーディオ装置において、制御部１５は、予め設定されたプログラムに基づいて動作し、温度検出部１３により検出された温度に基づいて低域調整部１４の動作を制御するための処理を行う。
【００２９】
具体的には、低域調整部１４に対して、温度検出部１３で検出した検出温度が所定の温度（例えば、１００℃）を超えたときに、低域カットオフ周波数を決定したり、低域カットオフ周波数以下の周波数の信号の傾きを調整するように制御する。ここで決定する低域カットオフ周波数は、スピーカー１１の口径に依存する。
【００３０】
図３（ａ）はスピーカーの周波数特性を口径別に示したものである。図３（ａ）からわかるように、スピーカーの口径によって、低域のカットオフ周波数の値が異なっている。このように、一般の可聴周波数の範囲（２０Ｈｚ〜２０ｋＨｚ）内であってもスピーカーの口径によって人の耳に聞こえなくなる場合がある。従って、制御部１５において、スピーカーの口径に応じて除去又はレベルを低減する周波数の値を決定する。これにより、電力消費が大きいにもかかわらず、人間の耳に聞こえない低音部分を除去あるいはレベルを低減することができ、電力消費を低減して、温度上昇を抑制することができる。このように温度保護動作を行った場合でも、人間の耳には聞こえない音が除去あるいは低減されているため、聴感上、違和感を覚えることはほとんど無い。
【００３１】
（低域調整処理）
以下、本実施形態のオーディオ装置における低域調整処理について、その処理フローの一例を表した図４を参照しながら説明する。
【００３２】
初期状態として、オーディオソース１７からのオーディオ信号が、インタフェース（Ｉ／Ｆ）１８、低域調整部１４及びインタフェース１９を介してオーディオ出力増幅部１２に供給され、オーディオ出力増幅部１２からスピーカー１１を通して音声が出力されているものとする。
【００３３】
先ずステップＳ１１では、温度検出部１３で検出された温度を指示するデータを、アンプ２０及びインタフェース２１を介して取り込む。
【００３４】
次のステップＳ１２では、取り込んだ温度データに基づいて、その検出温度が所定の設定温度（例えば、１００℃）以上である（ＹＥＳ）か否（ＮＯ）かを判定する。判定結果がＹＥＳの場合はステップＳ１３に進み、判定結果がＮＯの場合には本処理フローは終了する。
【００３５】
次のステップＳ１３では、制御部１５において低域カットオフ周波数及び低域の信号レベルを決定する。
【００３６】
すなわち、図３（ｂ）に示したように、スピーカーの口径に応じた低域カットオフ周波数を決定したり、低域カットオフ周波数より低域の信号レベルの傾きを決定する。なお、低域カットオフ周波数の決定のために、予めスピーカーの口径とそれに対応する低域カットオフ周波数をテーブルとして用意して記憶部１６に保存しておき、このテーブルを参照してスピーカーの口径に応じた低域カットオフ周波数を決定するようにしてもよい。
【００３７】
次のステップＳ１４では、制御部１５からの制御信号により、低域調整部１４に対し、音声信号の低域部分の調整を行うように制御する。すなわち、低域調整部１４を構成するＦＩＲ(Finite Impulse Response)フィルタのフィルタ係数をＬＭＳ(Least Mean Square)適応アルゴリズムにより調整し、低域カットオフ周波数や信号レベルの傾きを設定する。また、ハイパスフィルタが抵抗、キャパシタ又はインダクタで構成されている場合は、これらの素子の値を適切に設定又は選択して、低域カットオフ周波数等を設定する。
【００３８】
なお、検出温度がデバイスの耐熱温度付近まで上がった場合は、聴感上の影響があっても装置保護を優先して低域カットオフ周波数を決定したり、信号レベルの傾きを調整するようにしてもよい。
【００３９】
図５に低域カットオフ周波数を調整する一例を示す。図５に示すように、検出温度が所定の温度よりも高い場合には、低域カットオフ周波数の値を上げていくように設定値を変更するようにしてもよい。例えば、検出温度が１００℃のときの低域カットオフ周波数をｆ１とした場合、検出温度が１００℃を所定の値だけ超えたときは、カットオフ周波数をｆ２とし、さらに検出温度が上がった場合にはカットオフ周波数をｆ３に設定するようにしても良い。さらに、このように検出温度がデバイスの耐熱温度付近まで上がった場合は、低域周波数の信号を除去するとともに、可聴周波数帯域全域の信号レベルを下げて消費電力を低減させ、装置保護をするようにしてもよい。
【００４０】
また、上記の処理を行った結果、検出温度が所定の温度（１００℃）よりも低くなった場合に、低域部分を上記のように調整したままでも良いし、再度、低域部分の信号を出力するようにしても良い。
【００４１】
以上説明したように、本実施形態に係るオーディオ装置においては、オーディオ出力増幅器１２の近傍の温度を検出し、所定の温度になったときに低域周波数の信号を除去したり信号レベルを低減するようにしている。かかる処理を行うことで、オーディオ出力増幅器１２内部での消費電力を小さくし、熱の発生を抑制することが可能となる。また、この際に、低域周波数の信号を除去したり信号レベルを低減しているため、他の周波数の信号を調整する場合に比べて聴感上の影響が少なく、聴取者に温度保護動作中であることを認識されず、聴取者は違和感なく音楽等を聴取することができる。
【００４２】
なお、上述した実施形態では、低域の周波数の信号を調整する方法について説明したが、低域に限らず、高域の可聴周波数帯域以上の信号を調整することも可能である。高域の可聴周波数帯域以上の信号は単独の音としては認識することはないが、異なる周波数の差がビート（うなり音）として認識される場合がある。このような不要な音を除去すると同時に、オーディオ出力増幅部における消費電力の低減に寄与できる。例えば、高音が出しにくくなる周波数は図３（ａ）に示すように２５ｋＨｚであるので、高域カットオフ周波数を２５ｋＨｚとするローパスフィルタを構成し、所定の温度を超えたときにオーディオ信号がこのローパスフィルタを通過するようにしても良い。
【００４３】
（第２の実施形態）
（オーディオ装置の構成）
図６は本発明の第２の実施形態に係るオーディオ装置の概略構成をブロック図の形態で示したものである。
【００４４】
本実施形態に係るオーディオ装置３０は、基本構成として、スピーカー３１と、オーディオ出力増幅部３２と、温度検出部３３と、帯域調整部（オーディオ出力処理部）３４と、特性測定部３５と、制御部３６と、記憶部３７と、マイクロホン（マイク）３８とを備えている。説明の簡単化のため特に図示はしていないが、スピーカー３１は実際には複数個設けられている。なお、オーディオ出力増幅部３２及び温度検出部３３は、第１の実施形態で説明したものと同一の機能を有するので、ここでは説明を省略する。
【００４５】
帯域調整部３４は、例えばＤＳＰ(Digital Signal Processor)によって構成され、ハイパスフィルタ（ＨＰＦ）に限定されず、バンドパスフィルタ（ＢＰＦ）やローパスフィルタ（ＬＰＦ）等も実現可能とする。これらのフィルタ構成は、スピーカー３１やオーディオ信号を聴取する対象空間の聴取ポイントでの音響特性に応じて変更可能であるものとする。
【００４６】
特性測定部３５は、オーディオ信号を聴取する空間内における音響特性を計測する。特性測定部３５は、例えば音響特性を測定するための音源を発生するソフトウエア及び観測した音声信号を解析するＦＦＴ(Fast Fourier Transform)アナライザ等で構成される。
【００４７】
制御部３６は、例えばマイクロコンピュータで構成され、温度検出部３３で検出された信号を読み取り、温度を算出し、その温度及びオーディオ信号を聴取する空間の音響特性に応じて帯域調整部３４に音声信号の調整を行うように制御する。
【００４８】
記憶部３７は、例えばハードディスクで構成され、特性測定部３５で計測された可聴範囲外の周波数を保存しておく。
【００４９】
マイク３８は聴取ポイントに設置され、スピーカー３１から出力された音を検出して電気信号に変換する。マイク３８は、例えば、後方を除くほぼすべての方向の音を観測できる単一指向性のマイクを使用する。
【００５０】
このように構成されたオーディオ装置において、実際にオーディオ信号を聴取する前に、予め対象とする空間内の音響特性を測定しておく。音響特性は例えば、音声信号の各周波数成分のレベルや、周波数値とその周波数を中心とした両側のレベル変化特性の強さを表した値（Ｑ値）などである。このような音響特性（対象とする空間の周波数特性）は、所定の音源（例えば、色々な周波数の音を出力することのできるテスト信号発生ソフトウエアを利用して出力した音）をスピーカー３１から出力させ、聴取ポイントに設置したマイク３８で音を検出し電気信号に変換する。電気信号に変換された音はインタフェース４４を介して制御部３６に伝送され、特性測定部３５及び制御部３６において、人間の耳に聞こえる音か否かを判定する。特性測定部３５では、測定結果に基づいて音声信号をカットしても差し支えない周波数を決定する。例えば、音響特性の測定において、人間の耳に音として聞こえない周波数成分を記録し、記憶部３７に保存しておく。
【００５１】
このような音響特性測定を予め行った後に、制御部３６は、予め設定されたプログラムに基づいて動作し、温度検出部３３により検出されたオーディオ出力部３２内の温度に基づいて帯域調整部３４の動作を制御するための処理を行う。具体的には、第１の実施形態と同様に、検出温度が所定の温度（例えば、１００℃）を超えたときに、低域部分を調整するように制御する。さらに、予め測定した音響特性を基に算出された、聴感上影響の少ない可聴範囲外の周波数の信号レベルを調整するように制御する。
【００５２】
（帯域調整処理）
以下、本実施形態のオーディオ装置における帯域調整処理について、その処理フローの一例を表した図７を参照しながら説明する。
【００５３】
初期状態として、オーディオソース３９からのオーディオ信号が、インタフェース４０、帯域調整部３４及びインタフェース４１を介してオーディオ出力増幅部３２に供給され、オーディオ出力増幅部３２からスピーカー３１を通して音声が出力されているものとする。また、対象とする空間の音響特性は予め計測してあるものとする。
【００５４】
先ずステップＳ２１では、温度検出部３３で検出された温度を指示するデータを、アンプ４２及びインタフェース４３を介して取り込む。
【００５５】
次のステップＳ２２では、取り込んだ温度データに基づいて、その検出温度が所定の設定温度（例えば、１００℃）以上である（ＹＥＳ）か否（ＮＯ）かを判定する。判定結果がＹＥＳの場合はステップＳ２３に進み、判定結果がＮＯの場合には本処理フローは終了する。
【００５６】
次のステップＳ２３では、制御部３６からの制御信号により帯域調整部３４に対し、音声信号の低域部分の調整を行うように制御する。すなわち、スピーカーの口径に応じた低域カットオフ周波数を決定したり、低域カットオフ周波数より低域の信号レベルの傾きを決定し、帯域調整部３４を構成するＦＩＲフィルタのフィルタ係数を調整して、低域カットオフ周波数や信号レベルの傾きを設定する。
【００５７】
次のステップＳ２４では、制御部３６からの制御信号により、帯域調整部３４に対し、予め測定した対象空間の音響特性を基に、特定の周波数（可聴範囲外の周波数）の信号レベルの調整を行うように制御する。例えば、周波数帯域（ｆ１１〜ｆ１２）の音声信号が対象空間では人間の耳に聞こえないという測定結果が得られていれば、この周波数帯域の信号を除去するように帯域調整部３４のフィルタを構成するようにする。具体的には、ＦＩＲフィルタとＬＭＳ適応アルゴリズムによりフィルタ係数を適切に設定して、帯域阻止（バンドエリミネーション）フィルタを構成する。
【００５８】
以上説明したように、本実施形態に係るオーディオ装置においては、オーディオ出力増幅器３２の近傍の温度を検出し、所定の温度になったときに低域周波数の信号を除去したり信号レベルを低減するようにしている。さらに、予め測定した可聴範囲外の周波数の信号レベルを調整するようにしている。かかる処理を行うことで、オーディオ出力増幅器３２において消費される電力を小さくし、熱の発生を抑制することが可能となる。また、この際に、低域周波数の信号及び可聴範囲外の周波数の信号を除去したり信号レベルを低減しているため、他の周波数の信号を調整する場合に比べて聴感上の影響が少なく、聴取者に温度保護動作中であることを認識されず、聴取者は違和感なく音楽等を聴取することができる。
【図面の簡単な説明】
【００５９】
【図１】等感曲線を示す図である。
【図２】本発明の第１の実施形態に係るオーディオ装置の構成を概略的に示すブロック図である。
【図３】図３（ａ）は、スピーカーの周波数特性の一例を示す図である。図３（ｂ）は、低域の再生可能周波数とスピーカーの口径との関係を示す図である。
【図４】図２における制御部が行うオーディオ信号処理の一例を示すフロー図である。
【図５】図２における制御部が行う処理を説明する図である。
【図６】本発明の第２の実施形態に係るオーディオ装置の構成を概略的に示すブロック図である。
【図７】図６における制御部が行うオーディオ信号処理の一例を示すフロー図である。
【符号の説明】
【００６０】
１０、３０…オーディオ装置、
１１、３１…スピーカー、
１２、３２…オーディオ出力増幅部、
１３、３３…温度検出部、
１４…低域調整部（オーディオ出力処理部）、
１５、３６…制御部、
１６、３７…記憶部、
１７、３９…オーディオソース、
３４…帯域調整部（オーディオ出力処理部）、
３８…マイクロホン。
【図１】
2007027821.tif 000003
【図２】
2007027821.tif 000004
【図３】
2007027821.tif 000005
【図４】
2007027821.tif 000006
【図５】
2007027821.tif 000007
【図６】
2007027821.tif 000008
【図７】
2007027821.tif 000009